(57)【要約】【課題】プラズマディスプレイ用のアドレス駆動方法が記載される。【解決手段】プラズマディスプレイは、少なくとも１つの走査線と少なくとも１つの共通電極とを備える。アドレス駆動方法は以下の駆動方式を用いる。最初に、プラズマディスプレイはリセット周期にあり、走査電圧を用いて走査線を駆動してセルにおける壁電荷分布を一様にする。プラズマディスプレイがアドレス周期にあると、経時変化する共通電圧が共通電極に印加される。最後に、プラズマディスプレイは維持（sustain）周期にあり、表示セルが放電状態に維持される。この駆動方式により、高速アドレスの放電遅延が短縮するだけでなくパネル電圧の電圧マージンが増大する。【選択図】図１
2007121372.tif 000002
【特許請求の範囲】
【請求項１】
少なくとも１つの走査線と少なくとも１つの共通電極とを有するプラズマディスプレイ用の書込み駆動方法(write-in driving method)であって、
リセット周期にリセット電圧で前記走査線を駆動し、発光セル上の壁電荷を正常に戻す(normalizing)ステップと、
前記走査線とアドレス電極との間でアドレス放電が生じるように、アドレス周期に経時変化する共通電圧を前記共通電極に印加するステップと、
前記プラズマディスプレイが維持放電周期にある時に該プラズマディスプレイの放電を維持するステップと
を含む書込み駆動方法。
【請求項２】
前記経時変化する共通電圧は漸増する線形電圧である、請求項１に記載の書込み駆動方法。
【請求項３】
前記経時変化する共通電圧は漸増する非線形電圧である、請求項１に記載の書込み駆動方法。
【請求項４】
少なくとも１つの走査線と少なくとも１つの共通電極とを有するプラズマディスプレイ用の書込み駆動方法であって、
リセット周期にリセット電圧で前記走査線を駆動し、発光デバイスセル上の壁電荷を正常に戻すステップと、
アドレス周期に、経時変化する共通電圧を印加し、前記共通電極上の放電強度を増大し壁電荷量を増加させ、前記走査線とアドレス電極との間にアドレス放電を生じる印加ステップと、
前記プラズマディスプレイを維持放電周期に設定して、アドレスした発光デバイスセルについて放電を維持するステップと
を含む書込み駆動方法。
【請求項５】
前記経時変化する共通電圧を印加して前記共通電極上の放電強度を増大する前記ステップは、前記経時変化する共通電圧を前記共通電極に印加することを含む、請求項４に記載の書込み駆動方法。
【請求項６】
前記経時変化する共通電圧は漸増する線形電圧である、請求項５に記載の書込み駆動方法。
【請求項７】
前記経時変化する共通電圧は漸増する非線形電圧である、請求項５に記載の書込み駆動方法。
【発明の詳細な説明】
【技術分野】
【０００１】
本発明は、プラズマディスプレイ用の書込み駆動方法に関する。より詳細には、本発明は、プラズマディスプレイがアドレス周期にある時に共通電極に印加される共通電圧を変化させる書込み駆動方法を有するプラズマディスプレイに関する。
【背景技術】
【０００２】
ＡＣ−ＰＤＰの表示原理は、Ｘ軸電極とＹ軸電極との間のグリッドポイント（セル）に電圧を印加するというものである。印加された電圧が気体破壊電圧（例えば約１８０ボルト）に達すると、気体原子がイオン化してイオンを生成する。その後、この高電界によって高速に加速された電子が周囲の不活性ガス分子に衝突し、不活性ガス分子を励起してそのエネルギーレベルを上げる。励起された不活性ガス分子の電子が高エネルギーレベルから基底エネルギー状態に戻るときに、紫外線が生成される。この紫外線が、放電空間内にコーティングした蛍光材料を励起する。可視範囲の発光スペクトルを有する特定の蛍光材料によって、可視光が生成される。ＡＣ−ＰＤＰの電極表面は誘電体材料で覆われている。逆極性のＡＣ電圧を入力した後、壁表面はいくつかの電子及びイオンを引き寄せるので、メモリ機能を有する。
【０００３】
図５は、米国特許第６６３３２６８号に記載されている従来のプラズマディスプレイの書込み駆動電圧波形を示す図である。従来のリセット放電においては、「Ｘ」電極全体に印加される３００ボルトに達する高電圧ＶＲのパルス（矩形リセットパルス５００）と放電空間全体からの放電とによって、壁電荷が生成される。一方、矩形リセットパルス５００と同時に「Ａ」電極に電圧Ｖａのパルス５１４が印加される。
【０００４】
矩形リセットパルス５００が立ち下がると、自己消去放電が生じて、誘電体層上に引き寄せられた電子及びイオンを中和する。したがって、グリッドセル全体が均質な（homogeneous）状態に変化する。言い換えれば、壁電荷は存在せずグリッドセル全体が均質化される。
【０００５】
次のアドレス周期において、走査パルス５１２（−Ｖｓｃ）の前にプリセットパルス５１０が「Ｙ」電極に印加される。プリセットパルス５１０の電圧は−Ｖｅであり、この大きさは負の電圧レベル５０６（−Ｖｙ）の量よりも大きい。電圧５０２（Ｖｘａ）のバイアスが「Ｘ」電極に印加される。「Ｘ」電極及び「Ｙ」電極間の電圧（Ｖｘａ＋Ｖｅ）は、矩形のリセット動作の結果として生じる壁電荷によって決まる放電開始電圧よりも大きな電圧である。
【０００６】
したがって、プリセットパルス５１０の作用時間（impulsive period）が非常に長ければ「Ｘ」電極及び「Ｙ」電極間で放電が生じる。しかし、プリセットパルス５１０のパルス幅は狭い（０．３〜０．５μｓ）ので、明らかに放電が生じない。したがってプリセットパルス５１０の期間に空間電荷が多少発生する。
【０００７】
従来の技法においては、プリセットパルス５１０の数が多いほど空間電荷がより断続的に発生する。しかしプリセットパルス５１０の数が多すぎると、プリセットパルスがトリガする電気放電によって壁電荷が形成される恐れがある。
【０００８】
従来のプリセットパルス５１０の後の走査パルス５１２の電圧は−Ｖｙであり、この電圧のみでは放電をトリガしない。しかし、「Ａ」電極にアドレスパルス５１８を有する電圧Ｖａが印加されると、「Ａ」電極及び「Ｙ」電極間の放電がトリガされる。「Ａ」電極及び「Ｙ」電極間のこの電気放電では、プリセットパルス５１０の印加によって空間電荷がすでに発生しているので、より容易に放電が生じる。
【０００９】
さらに、「Ａ」電極及び「Ｙ」電極間の放電によって「Ｘ」電極及び「Ｙ」電極間の放電がトリガされ、壁電荷を形成する。アドレス周期後には維持放電周期がある。「Ｘ」電極と「Ｙ」電極とに電圧Ｖｓの維持パルス５０８、５０４が交互に印加される。アドレス期間に壁電荷を有しアドレス放電が生じる発光ユニットのみが、維持パルス５０８、５０４によって放電して可視光を発する。
【発明の開示】
【発明が解決しようとする課題】
【００１０】
要するに米国特許第６６３３２６８号においては、それぞれの走査線の前に、より高電圧である狭波を増やして、主要なアドレッシング（main addressing）の放電遅延期間を、よって走査期間を短縮する。しかし、その回路設計は非常に複雑である。
【００１１】
したがって、本発明の少なくとも１つの目的は、経時変化する共通電圧の共通電極への印加を利用して放電開始電圧を上昇させ、よって放電遅延時間を短縮する、プラズマディスプレイ用の書込み駆動方法を提供することである。
【００１２】
本発明の少なくとも第２の目的は、経時変化する共通電圧の共通電極への印加を利用して共通電極における壁電荷量を維持し、よって動作電圧範囲を拡大する、プラズマディスプレイ用の書込み駆動方法を提供することである。
【課題を解決するための手段】
【００１３】
これらの利点及び他の利点を達成するために、且つ本発明の目的に従って、本明細書において実施され大まかに説明するように、本発明はプラズマディスプレイ用の書込み駆動方法を提供する。プラズマディスプレイは、少なくとも１つの走査線と少なくとも１つの共通電極とを備える。書込み駆動方法は以下の工程を用いる。最初の段階において、プラズマディスプレイはリセット周期にあり、リセット電圧を用いて走査線を駆動して発光デバイスの内壁上の電荷分布を正常に戻すようにする。次に走査線とアドレス電極との間でアドレス放電が生じる。経時変化する共通電圧が共通電極に印加されてアドレッシングを行う。その後プラズマディスプレイが維持放電周期にある時に、プラズマディスプレイの放電を維持する。
【００１４】
本発明の好ましい一実施形態によれば、経時変化する共通電圧は漸増する線形電圧である。
【００１５】
本発明の好ましい一実施形態によれば、経時変化する共通電圧は漸増する非線形電圧である。
【００１６】
本発明はまた、プラズマディスプレイ用の別の書込み駆動方法も提供する。プラズマディスプレイは、少なくとも１つの走査線と少なくとも１つの共通電極とを備える。書込み駆動方法は以下の工程を用いる。プラズマディスプレイがリセット周期にある時に、リセット電圧を用いて走査線を駆動する。プラズマディスプレイがアドレス周期にある時に、経時変化する共通電圧を印加して共通電極における壁電荷量を増加させる。その後ディスプレイ装置は維持放電周期にシフトして放電を維持する。
【００１７】
本発明の好ましい実施形態によれば、経時変化する共通電圧を用いて共通電極における蓄積壁電荷量を増加させるステップは、経時変化する共通電圧を共通電極に印加することを含む。
【００１８】
本発明において、経時変化する共通電圧は共通電極に印加される。したがって、放電遅延時間は短縮され動作電圧範囲も拡大される。
【００１９】
上記の一般的な説明と下記の詳細な説明とはともに例示的なものであり、特許請求する本発明のさらなる説明を提供するように意図されている、ということが理解されなければならない。
【発明を実施するための最良の形態】
【００２０】
添付図面は本発明をさらに理解するために含まれており、本明細書に組み込まれその一部を構成する。図面は本発明の実施形態を例示し、記述とともに本発明の原理を説明するのに役立つ。
【００２１】
次に、その例を添付図面に示す本発明の現在好ましい実施形態を詳細に参照する。可能な場合には必ず、図面及び説明において同じ参照符号を用いて同一又は同様の部分を指す。
【００２２】
図１は、本発明の好ましい一実施形態によるプラズマディスプレイを動作する書込み駆動方法における各ステップを示すフロー図である。本技法に精通する人であれば誰でも、プラズマディスプレイは複数の走査線と少なくとも１つの共通電極とを備えてもよいということを知っているはずであるが、このことは決して本発明の範囲を限定するものではない。
【００２３】
以下の説明において、図１、図２Ａ、及び図２Ｂを参照する。図２Ａは、本発明の好ましい一実施形態によるプラズマ装置を動作する書込み駆動電圧波形を示す図である。図２Ｂは、本発明の好ましい一実施形態による別のプラズマ装置を動作する書込み駆動電圧波形を示す図である。
【００２４】
本実施形態において、プラズマディスプレイの書込み駆動方法は、プラズマディスプレイがリセット周期にある時にリセット電圧の波形２０２で走査線を駆動して、発光デバイスの内壁上の電荷が正常状態であるようにすること（Ｓ１０２）を含む。リセット電圧の波形は図２Ａ及び図２Ｂに示す波形２０２である。
【００２５】
発光デバイスの内壁上の電荷が正常状態になった後、プラズマディスプレイの駆動波形はアドレス周期に入り、走査線に対するアドレス動作を開始する。本実施形態において、アドレス周期に、走査線とアドレス電極との間に波形２０８、２１０が生成され、このアドレス周期に、経時変化する共通電圧が共通電極に印加される（Ｓ１０４）。本技法に精通する人であれば誰でも、この経時変化する共通電圧は図２Ａに示す波形２０６又は図２Ｂに示す波形２０６であるということに気付くかもしれない。図２Ａの波形２０６は傾きが一定に（steady）上昇する線形電圧であり、図２Ｂの波形２０６は上昇する非線形電圧である。しかし、波形はそのようなものとして限定されるものではない。
【００２６】
走査線駆動回路が走査線アドレス動作を行った後、プラズマディスプレイは維持放電期間に入り、維持アドレスの発光デバイスは継続的に放電する（Ｓ１０６）。
【００２７】
本発明の好ましい実施形態において、プラズマディスプレイのアドレス周期内にアドレス時間を高速化する方法は、放電をトリガする電圧を上昇させることを含む。
【００２８】
図３及び図４は本発明の好ましい一実施形態によるアドレス周期中の共通電極における壁電荷量を示す図である。図３及び図４において、共通電極を３０２とし、グリッドセルの隔壁を３０４とし、走査電極を３０６とし、アドレス電極を３０８とし、アドレス電極の接地をＧとする。図３において、アドレス周期の最初のいくつかの走査線についての共通電極３０２における壁電荷量を示す。図４において、アドレス周期の最後のいくつかの走査線についての共通電極３０２における壁電荷量を示す。
【００２９】
本実施形態において、図１のステップＳ１０４に示すように、経時変化する共通電圧が共通電極３０２に印加される。図３において、走査期間には、リセット波形によって生じる放電における高エネルギー粒子の数が比較的多いので、通常の共通電圧の下でアドレス放電が生じてアドレッシング用に意図する壁電荷分布を達成するようにすることができる。
【００３０】
図４において、最後のいくつかの走査線においてアドレスした後半の走査期間には、リセット波形から長時間経っているために高エネルギー粒子がほとんどなくなっているので、アドレッシング用に意図する壁電荷分布を達成するには、図４に示すように共通電極に印加する電圧を高くする必要がある。
【００３１】
本発明の好ましい実施形態において、経時的に上昇する共通電圧をアドレス周期中に共通電極に印加するので、アドレス動作を行うのに必要な時間が短縮される。
【００３２】
ところで、経時変化する共通電圧をアドレス周期中に共通電極に印加することによって、後にアドレスするグリッドセルにおける動作電圧の差異もまた減少する。アドレス時間が先行している（priority）ために、アドレス時間の経過とともに高エネルギー粒子が減少するからである。
【００３３】
要するに、経時変化する共通電圧を共通電極で利用する本発明の書込み駆動方法は、放電遅延時間を短縮し電圧の動作範囲を拡大することができる。
【００３４】
当業者には、本発明の範囲又は精神から逸脱することなく本発明の構造にさまざまな変更及び変形を行うことができるということが明白であろう。以上のことに鑑みて、本発明は、添付の特許請求の範囲及びその均等物の範囲内にある限り本発明の変更及び変形を包含するものである。
【図面の簡単な説明】
【００３５】
【図１】本発明の好ましい一実施形態によるプラズマディスプレイを動作する書込み駆動方法における各段階を示すフロー図である。
【図２Ａ】本発明の好ましい一実施形態によるプラズマ装置を動作する書込み駆動電圧波形を示す図である。
【図２Ｂ】本発明の好ましい一実施形態による他のプラズマ装置を動作する書込み駆動電圧波形を示す図である。
【図３】本発明の好ましい一実施形態による、アドレス周期の最初のいくつかの走査線についての壁電荷分布及びアドレス放電を概略的に示す図である。
【図４】本発明の好ましい一実施形態による、アドレス周期の最後のいくつかの走査線についての壁電荷分布及びアドレス放電を概略的に示す図である。
【図５】従来のプラズマディスプレイの書込み駆動電圧波形を示す図である。
【符号の説明】
【００３６】
２０２  リセット電圧の波形
２０６  共通電圧の波形
３０２  共通電極
３０４  隔壁
３０６  走査電極
３０８  アドレス電極
【図１】
2007121372.tif 000003
【図２Ａ】
2007121372.tif 000004
【図２Ｂ】
2007121372.tif 000005
【図３】
2007121372.tif 000006
【図４】
2007121372.tif 000007
【図５】
2007121372.tif 000008